(57)【要約】【課題】診察を受ける待合患者や病室の入院患者のすべてが、外部を眺めることができる卵型平面形状の総合病院を提供すること。【解決手段】従来の多くの総合病院が四角型の平面形状であるのに対し、本考案では総合病院の平面形状を卵型とした。その卵型は、Ｙ方向の最大寸法を１としたときのＸ方向の最大寸法が１．６となる寸法比で、Ｙ方向の最大寸法を１：１に分ける位置と、Ｘ方向の最大寸法を１：１．６に分ける位置の交点を中心とし、この中心点からＸ方向の最外寸法までを長径、Ｙ方向の最外寸法までを短径としたそれぞれ左側と右側２種類の異なる楕円形を左右組み合わせて成り立っている。この卵型平面形状によって創り出される曲面状の窓面を利用して、すべての患者が外部を眺められるような配置関係となるように、待合スペースの待合用ベンチや、病室のベッドなどを設置した。【選択図】図３
0003107231.tif 000002
【実用新案登録請求の範囲】
【請求項１】
診察を受ける待合患者や病室の入院患者のすべてが、外部を眺めることができるということを特徴とする、以下に記載する形状をなした卵型平面の総合病院。
前記総合病院の平面形状は、Ｙ方向の最大寸法を１としたときのＸ方向の最大寸法が１．６となる寸法比の卵型で、Ｙ方向の最大寸法を１：１に分ける位置と、Ｘ方向の最大寸法を１：１．６に分ける位置の交点を中心とし、この中心点からＸ方向の最外寸法までを長径、Ｙ方向の最外寸法までを短径とした左側と右側２種類の楕円形を左右組み合わせた形状をなすものである。
【請求項２】
請求項１記載の総合病院で、廊下を外周部分に配置し、その廊下の外部に面する部分に診察時の患者の待合スペースが設けられていることを特徴とする総合病院。
【請求項３】
請求項１記載の総合病院で、各病室の窓面が曲面状をなしていることを特徴とする総合病院。
【請求項４】
請求項１記載の総合病院で、Ｘ方向・Ｙ方向のそれぞれに対し、水平または垂直方向に間仕切壁で仕切った病室をもつことを特徴とする総合病院。
【請求項５】
請求項１記載の総合病院で、建物の卵型平面形状に対して、寸法が１：１．６となる比で縮小された相似形の中庭を、建物と同じ中心位置で同方向に配置したことを特徴とする総合病院。
【考案の詳細な説明】
【技術分野】本考案は、診察時の待合患者や病室での入院患者のすべての人が、外部を眺めることができるための卵型平面形状をなした総合病院に関するものである。
【背景技術】
【０００１】従来の多くの総合病院は四角型の平面形状をしており、中廊下形式が採用されている。そして診察時の待合スペースはその廊下の一部に設けられている。また、建物が四角型ということから病室の窓面は直線的な形状となっており、その直線的な窓面に対し水平もしくは垂直にベッドが配置されている。
【考案の開示】
【考案が解決しようとする課題】
【０００２】中廊下形式では廊下が外部に面しないため、そこに設けられている待合スペースが息苦しい空間となっている。また、廊下両側に部屋が配置されていることや、待合している患者の前を病院関係者や別の患者が慌しく往来することで、待合スペースが煩雑な空間となってしまっているという問題点があった。また、病室の窓面は直線的な形状であり、その直線的な窓面に対して、水平もしくは垂直にベッドが配置されることから、窓際の患者だけしか外部を視野に入れることができないという問題点があった。
【課題を解決するための手段】
【０００３】上記の問題点を解決するために、本考案は総合病院の平面形状を卵型とし、外廊下形式を採用したことを特徴とする。【０００４】この卵型平面形状は、Ｙ方向の最大寸法を１としたときのＸ方向の最大寸法が１．６となる寸法比で構成されていることを特徴とする。【０００５】また、この卵型平面形状の中心点位置は、Ｘ方向については水平最大寸法を１：１．６に分ける位置とし、Ｙ方向については垂直最大寸法を１：１に分ける位置としていることを特徴とする。【０００６】さらに、この卵型平面形状は、前記の中心点から左側へＸ方向の最外点までの寸法を長径、Ｙ方向の最外点までの寸法を短径とする楕円と、同様に中心点から右側へＸ方向の最外点までの寸法を長径、Ｙ方向の最外点までの寸法を短径とする楕円の２種類を、左右組み合わせた形状をなしていることを特徴とする。【０００７】建物の外周部分に配置した廊下部分の外部に面するスペースを利用し、ここに診察時の待合スペースを設置することを特徴とする。【０００８】また、卵型平面形状のＸ方向・Ｙ方向のそれぞれに対し、水平または垂直方向に間仕切壁で仕切った病室を配置することを特徴とする。【０００９】また、平面形状が卵型であることから病室の窓面が直線ではなく曲面状となっていることを特徴とする。【００１０】また、病室や廊下以外の居室も外部に面することができるように、中心部に中庭を設けていることを特徴とする。【００１１】この中庭の形状は建物の卵型平面形状と相似形をなしており、その寸法の縮小比は１：１．６である。そして建物と同じ中心点の位置で同方向に配置されていることを特徴とする。
【考案の効果】本考案は、以上説明したような形態で実施されることで、以下のような効果を奏する。【００１２】総合病院を外廊下形式とし、その廊下の一部を待合スペースとすることで、待合患者が外部を眺めることが可能となる。【００１３】さらに、平面形状を卵型としていることから、廊下の外部に面するスペースに待合用のベンチを配置すれば、カーブした曲面状窓面とベンチの配置関係から、待合患者の一人一人が遮られることなく外部を視野に入れることができる。【００１４】また、カーブによってつくり出される、ゆったりとしたスペースと、待合患者が廊下に向いて座らないということにより、病院関係者等が慌しく行き交う廊下スペースとの区画が明瞭となり、待合スペースが煩雑な空間にならない。【００１５】前記と同様に、平面形状を卵型としていることで、病室の窓面もカーブした曲面状となる。このことで、ベッドと窓面の配置関係が従来のような水平・垂直の関係ではなくなり、５人部屋のような多人数用病室であっても、窓際のベッドからだけでなく、病室入口側の奥のベッドからもそれぞれ外部を視野に入れることが可能となる。【００１６】病室や廊下を外部周りに優先して配置すると、必然的にそれ以外の居室が外部に面しない無窓居室になってしまうが、中庭を設けることでこれらの居室も外部に面することが可能である。【００１７】この中庭も建物と同様の卵型の平面形状をなしており、カーブを描く曲面状の窓面となっているので、各居室の様々な場所から、より多く中庭を視野に入れることが可能となる。
【考案を実施するための最良の形態】
【００１８】以下、本考案の実施の形態について、図面を参照して具体的に説明する。
図１は、本考案の卵型平面形状の成り立ちを詳細に示した図である。
図１に示すように、この卵型平面形状は、Ｙ方向の最大寸法（最外点から最外点までの寸法。以下同じ）をＡとしたときのＸ方向の最大寸法が１．６Ａとなる寸法比をもち、Ｙ方向の最大寸法を１：１に分ける位置と、Ｘ方向の最大寸法を１：１．６に分ける位置の交点を中心とし、この中心点（１）から左側Ｘ方向の建物最外点（２）までの寸法を長径、Ｙ方向の建物最外点（４）までの寸法を短径とする楕円（５）と、同様に中心点（１）から右側Ｘ方向の建物最外点（３）までの寸法を長径、Ｙ方向の建物最外点（４）までの寸法を短径とする楕円（６）の２種類を、左右組み合わせてできた形状（斜線で網掛け表示した部分）により成り立っている。【００１９】また、図１に示すように、中庭（７）の形状も建物の卵型平面形状と相似形をなしている。この寸法縮小比は１：１．６であり、この中庭（７）は建物と同じ中心点（１）で同方向に配置されている。例えば中心点（１）から左側Ｘ方向の中庭最外点（８）までの寸法をＣとすると、左側Ｘ方向の中庭最外点（８）から左側Ｘ方向の建物最外点（２）までの寸法は１．６Ｃとなる。同様に中心点（１）から右側Ｘ方向の中庭最外点（９）までの寸法をＤとすると、右側Ｘ方向の中庭最外点（９）から右側Ｘ方向の建物最外点（３）までの寸法は１．６Ｄとなる。Ｙ方向についても同様で、中心点（１）から中庭最外点（１０）の寸法をＥとすると、中庭最外点（１０）から建物最外点（４）までの寸法は１．６Ｅとなる。【００２０】図２は、前記卵型平面形状の総合病院に外廊下形式を採用して、廊下（１１）の外部に面する部分に待合スペース（１２）を設けた、診察・処置室階のプラン例である。【００２１】図４は、診察・処置室階の待合スペース（１２）に待合用ベンチ（１７）を設置した一例で、待合スペース（１２）の曲面状の窓面（１９）と待合用ベンチ（１７）の配置関係によって、それぞれのベンチから外部を眺めることができることを示した拡大平面図である。【００２２】図３は、前記卵型平面形状の総合病院のＸ方向・Ｙ方向それぞれに対し、垂直または水平に間仕切り壁を設け、１人部屋から５人部屋までの多種多様な病室（１６ａ〜ｅ）を配置した病室階のプラン例である。【００２３】図５は、３人部屋（１６ｃ）と５人部屋（１６ｅ）の病室プランの一例で、病室の曲面状の窓面（１９）とベッド（１８）の配置関係によって、それぞれのベッド（１８）から外部を眺めることができることを示した拡大平面図である。【００２４】以上、本考案の卵型平面形状は、図１に示すように、中心点（１）から左側と右側とでそれぞれ異なる長径・短径の楕円形を組み合わせて成り立っているので、単純な円形や楕円形よりも複雑で、壁面のカーブの度合いが部分部分によって異なる。このことで、より多種多様な病室（１６ａ〜ｅ）の配置パターンや待合スペース（１２）の待合ベンチ（１７）配置パターンに対応できる。【００２５】病室（１６ａ〜ｅ）を配置する際には、図３に示すように、カーブの度合いに応じて、病室（１６ａ〜ｅ）の間仕切り壁を垂直方向に設置したり水平方向に設置したり、部屋を縦長にしたり横長にしたりすることが望ましい。一人部屋から多人数部屋までの多種多様な病室（１６ａ〜ｅ）に応じて間仕切り壁をそのように調整することで、それぞれのベッド（１８）と曲面状の窓面（１９）との最良の配置関係が得られ、図５に示すように、それぞれのベッドから外部を眺めることができるようになる。このことは病室だけに限られることではなく、図４に示すような待合スペース（１２）の待合ベンチ（１７）の配置についても同じことである。また中庭（７）と中庭に面するそれぞれの居室（１３）についても同じことが言える。【００２６】以上、図１から図５に示したように、本考案は、診察時の待合患者や病室（１６ａ〜ｅ）での入院患者のすべての人が、より多く外部に面し、あるいは外部を眺めることができる総合病院を提案するためのものである。もちろん外部を眺めることができるのは患者だけに限らず、病院関係者や見舞い人なども同じことである。外部である中庭（７）や駐車場などの敷地内には、より多く眺められるということを想定し、樹木や草花を多く植え、緑豊かな空間にするなどの配慮が望ましい。このことにより、より開放的で明るい雰囲気をもった医療空間が実現できる。
【図面の簡単な説明】
【００２７】
【図１】本考案に係る卵型平面形状の成り立ちを示す平面図である。
【図２】同、外廊下形式を採用し外部に面する部分に待合スペースを設けた、診察・処置室階のプラン例を示す平面図である。
【図３】同、卵型平面形状のＸ方向・Ｙ方向それぞれに対し、垂直または水平に間仕切り壁を設け、病室を配置した病室階のプラン例を示す平面図である。
【図４】同、図２の待合スペース廻りを拡大した平面図で、待合用ベンチの配置例を示す平面図である。
【図５】同、図３の３人部屋と５人部屋病室を拡大した平面図で、ベッドの配置例を示す平面図である。
【符号の説明】
【００２８】  １    中心点
２    左側Ｘ方向の建物最外点
３    右側Ｘ方向の建物最外点
４    Ｙ方向の建物最外点
５    中心点から左側Ｘ方向の建物最外点を長径としたときの楕円
６    中心点から右側Ｘ方向の建物最外点を長径としたときの楕円
７    中庭
８    左側Ｘ方向の中庭最外点
９    右側Ｘ方向の中庭最外点
１０    Ｙ方向の中庭最外点
１１    廊下
１２    待合スペース
１３    居室
１４    便所
１５    ＥＶホール
１６ａ  病室（１人部屋）
１６ｂ  病室（２人部屋）
１６ｃ  病室（３人部屋）
１６ｄ  病室（４人部屋）
１６ｅ  病室（５人部屋）
１７    待合用ベンチ
１８    ベッド
１９    曲面状の窓面
【図１】
0003107231.tif 000003
【図２】
0003107231.tif 000004
【図３】
0003107231.tif 000005
【図４】
0003107231.tif 000006
【図５】
0003107231.tif 000007
【手続補正書】
【提出日】平成16年9月22日(2004.9.22)
【手続補正１】
【補正対象書類名】実用新案登録請求の範囲
【補正対象項目名】全文
【補正方法】変更
【補正の内容】
【実用新案登録請求の範囲】
【請求項１】
診察を受ける待合患者や病室の入院患者のすべてが、外部を眺めることができるということを特徴とする卵型平面の総合病院用建築物であって、平面形状が、Ｙ方向の最大寸法を１としたときのＸ方向の最大寸法が１．６となる寸法比の卵型で、Ｙ方向の最大寸法を１：１に分ける位置と、Ｘ方向の最大寸法を１：１．６に分ける位置の交点を中心とし、この中心点からＸ方向の最外寸法までを長径、Ｙ方向の最外寸法までを短径とした左側と右側２種類の楕円形を左右組み合わせた形状をなす卵型平面の総合病院用建築物。
【請求項２】
廊下を外周部分に配置し、その廊下の外部に面する部分に診察時の患者の待合スペースが設けられていることを特徴とする請求項１記載の総合病院用建築物。
【請求項３】
各病室の窓面が曲面状をなしていることを特徴とする請求項１又は２記載の総合病院用建築物。
【請求項４】
Ｘ方向・Ｙ方向のそれぞれに対し、水平または垂直方向に間仕切壁で仕切った病室をもつことを特徴とする請求項１、２又は３記載の総合病院用建築物。
【請求項５】
建物の卵型平面形状に対して、寸法が１：１．６となる比で縮小された相似形の中庭を、建物と同じ中心位置で同方向に配置したことを特徴とする請求項１、２、３又は４記載の総合病院用建築物。